(57)【要約】【課題】空気の逃げ場のない空間部４に対してであっても、吹込み用断熱材１を能率良く送り込んでいくことができる、吹込み用断熱材の送込み方法、送込み装置及び送込みノズルを提供する。【解決手段】断熱材吐出口９よりも基端側に位置して、送込み空気を逃がすが断熱材を逃がさない空気抜き部１０が設けられた断熱材送込み装置２を用い、空間部４に口１２を明け、送込み装置２の吐出口９を、空気抜き部１０が外に位置するように口１２にセットし、送込み装置２を駆動して送込み用の空気を断熱材吐出口９に向けて送る。【選択図】      図１
2006097390.tif 000002
【特許請求の範囲】
【請求項１】
空気の逃げ場のない空間部に吹込み用断熱材を送り込む方法であって、
断熱材吐出口よりも基端側に位置して、送込み空気を逃がすが断熱材を逃がさない空気抜き部が設けられた断熱材送込み装置を用い、
前記空間部に口を明け、送込み装置の吐出口を、空気抜き部が外に位置するように前記口にセットし、送込み装置を駆動して送込み用の空気を断熱材吐出口に向けて送ることを特徴とする、吹込み用断熱材の送込み方法。
【請求項２】
断熱材吐出口よりも基端側に位置して、送込み空気を逃がすが断熱材を逃がさない空気抜き部が設けられていることを特徴とする、吹込み用断熱材の送込み装置。
【請求項３】
断熱材吐出口よりも基端側に位置して、送込み空気を逃がすが断熱材を逃がさない空気抜き部が設けられていることを特徴とする、吹込み用断熱材の送込みノズル。
【発明の詳細な説明】
【技術分野】
【０００１】
本発明は、吹込み用断熱材の送込み方法、送込み装置及び送込みノズルに関する。
【背景技術】
【０００２】
グラスウール、ロックウール、セルローズ等からなる小片を吹込み用断熱材とし、該断熱材を、図４に示すように、吹込み装置５１を用いて、壁５２内に吹き込む場合に、壁５２内の空間部５３が空気の逃げ場のない空間部であると、該空間部に断熱材を吹き込むのが困難であることから、内装ボードを付ける前の壁５２に、寒冷紗などのメッシュ５４を付けて断熱材５８の吹込みを行う必要がある。なお、吹込み装置５１において、５５はブロワー、５６は断熱材収容器、５７はホースである。
【発明の開示】
【発明が解決しようとする課題】
【０００３】
しかしながら、リフォームなどで、建物に備えられた既存の壁の内部に断熱材を吹き込む場合は、壁に内装ボードが付けられていて壁内の空間部に空気の逃げ場がないことから、内装ボードに上記の吹込み装置５１のホース５７を差し込む差込み口を設けて吹込みを行っただけでは、断熱材を吹き込むのが困難であるか、あるいは、吹込みに長い時間を要してしまう。そのため、内蔵ボードを取り外して、図４に示すように、寒冷紗などのメッシュ５４を付けて吹込みを行い、吹込み完了後、内装ボードを付け直すしかないが、それでは、施工がきわめて厄介なものになってしまう。
【０００４】
本発明は、上記のような問題点に鑑み、空気の逃げ場のない空間部に対してであっても、吹込み用断熱材を能率良く送り込んでいくことができる、吹込み用断熱材の送込み方法、送込み装置及び送込みノズルを提供することを課題とする。
【課題を解決するための手段】
【０００５】
上記の課題は、空気の逃げ場のない空間部に吹込み用断熱材を送り込む方法であって、
断熱材吐出口よりも基端側に位置して、送込み空気を逃がすが断熱材を逃がさない空気抜き部が設けられた断熱材送込み装置を用い、
前記空間部に口を明け、送込み装置の吐出口を、空気抜き部が外に位置するように前記口にセットし、送込み装置を駆動して送込み用の空気を断熱材吐出口に向けて送ることを特徴とする、吹込み用断熱材の送込み方法によって解決される。
【０００６】
この方法では、送込み装置の断熱材吐出口よりも基端側に位置して空気抜き部が設けられているので、空気の逃げ場のない空間部の口に装置の吐出口をセットし、装置を駆動すると、送込み空気は、空気の逃げ場のない空間部には入り込めないため、空気抜き部を通じて外に排気される。そして、断熱材は、空気抜き部までを送込み空気に連れられて移動し、空気抜き部から先は、空気抜き部までを送込み空気に連れられて移動していく断熱材に後方より押し動かされ、吐出口から押し出されて、空間部内に送り込まれていく。こうして、空気の逃げ場のない空間部に対してであっても、吹込み用断熱材を能率良く送り込んでいくことができる。
【０００７】
しかも、従来の吹込み装置に空気抜き口を備えさせるだけでも実施できるので、そのような実施を行う場合は、実施に要する設備コストを低く抑えることができる。
【０００８】
また、上記の課題は、断熱材吐出口よりも基端側に位置して、送込み空気を逃がすが断熱材を逃がさない空気抜き部が設けられていることを特徴とする、吹込み用断熱材の送込み装置や、断熱材吐出口よりも基端側に位置して、送込み空気を逃がすが断熱材を逃がさない空気抜き部が設けられていることを特徴とする、吹込み用断熱材の送込みノズルによっても同様に解決される。特に、送込みノズルの場合は、従来の吹込み装置にノズルを付けるだけで送込みを行っていくことも可能になる。
【発明の効果】
【０００９】
本発明は、以上のとおりのものであるから、空気の逃げ場のない空間部に対してであっても、吹込み用断熱材を能率良く送り込んでいくことができる。
【発明を実施するための最良の形態】
【００１０】
次に、本発明の実施最良形態を図面に基づいて説明する。
【００１１】
図１及び図２に示す第１実施形態おいて、１は吹込み用断熱材、２は断熱材送込み装置、３は送込みの対象である壁である。壁３は、両面に既にボード３ａ，３ａが取り付けられた建物の既設の壁からなっていて、内部４は空気の逃げ場のない空間部になっている。
【００１２】
送込み装置２は、図１（イ）に示すように、吹込み用断熱材１を収容する収容器５と、送込み駆動源としてのブロワー６と、送込みホース７と、送込みホース７の先端部に取り付けられた送込みノズル８とを備えている。ノズル８は、図１（ロ）に示すように、先端部に広幅の扁平な断熱材吐出口９を備えると共に、該吐出口９よりも基端側に位置する周壁部分には多数のパンチング孔１０…が分散状態に明けられて空気抜き部が形成されている。各パンチング孔１０…のサイズは、断熱材１を逃がさないサイズに設定されている。また、断熱材吐出口９の幅方向中間部には遮風部１１が備えられ、遮風部１１を挟む両側から断熱材１が吐出するようになされている。なお、該遮風部１１は、図１（ハ）に示すように、省略されてもよい。
【００１３】
壁３内の空間部４への吹込み用断熱材１の送込みは、図１（イ）に示すように、壁３の上部に送込み口１２を明け、そこに、図２（イ）（ロ）に示すように、ノズル８の吐出口９を、空気抜き部１０が外に位置するようにセットし、ブロワー６を駆動すればよい。なお、壁３に設ける送込み口１２は、ノズル８の先端部を差し込むことができる程度の孔でもよい。
【００１４】
すると、ブロワー６の駆動でホース７内に送り込まれる空気は、空気の逃げ場のない壁３内の空間部４には入り込めないため、図２に示すように、ノズル８の空気抜き部１０を通じて外に排気される。そして、断熱材１は、空気抜き部１０までを送込み空気に連れられて移動し、空気抜き部１０から先は、空気抜き部１０までを送込み空気に連れられて移動していく断熱材に後方より押し動かされ、図２（イ）（ハ）に示すように、吐出口９から押し出されて、壁３内の空間部４内に送り込まれていく。こうして、空気の逃げ場のない壁３内の空間部４に対して、吹込み用断熱材１を能率良く送り込んでいくことができる。なお、断熱材１の送込みを終えた後、壁３の送込み口１２を塞げばよい。送込み口１２は小さくてよいので、壁３の修復も容易である。
【００１５】
図３に示す第２実施形態は、空気は逃がすが断熱材は逃がさないメッシュ材１３でノズル８の周壁を形成することで空気抜き部を備えさせたもので、第１実施形態と同様の原理により、空気の逃げ場のない壁３内の空間部４に対し、吹込み用断熱材１を能率良く送り込んでいくことができる。
【００１６】
以上に、本発明の実施形態を示したが、本発明はこれに限られるものではなく、発明思想を逸脱しない範囲で各種の変更が可能である。例えば、本発明では、送込み装置の具体的構成に制限はなく、ブロワーと、断熱材吐出口と、空気抜き部が備えられたものであればよい。
【００１７】
また、断熱材送込みの対象は、壁に限らず、空気の逃げ場のない、あるいは、空気の逃げ場のある、様々な空間部であってよい。空気の逃げ場のある空間部に対しても、本発明の送込み装置、送込みノズルを用いることで、送り込まれた断熱材に送込み空気が吹き付けられることがなく、送り込まれた断熱材の吹き散りを抑えながら、断熱材の送込みを行っていくことができる。
【００１８】
また、本発明では、空気抜き部から抜かれる空気をブロワーに返流することで空気を循環させるようにするのもよく、その場合は、周囲の空気が送込み空気で不本意に動かされるのを防ぐことができる。
【図面の簡単な説明】
【００１９】
【図１】第１実施形態を示すもので、図（イ）は送込み方法を示す説明図、図（ロ）送込み装置のノズル部分を示す斜視図、図（ハ）はノズルの変形例を示す斜視図である。
【図２】図（イ）は断熱材を送り込んでいる途中の状態を示す説明図、図（ロ）はその要部拡大図、図（ハ）はノズルから断熱材が吐出している状況を示す斜視図である。
【図３】第２実施形態を示すもので、図（イ）は断熱材を送り込んでいる途中の状態を示す説明図、図（ロ）はその要部拡大図、図（ハ）はノズルから断熱材が吐出している状況を示す斜視図である。
【図４】背景技術を示すもので、断熱材を吹き込んでいる途中の状態を示す説明図である。
【符号の説明】
【００２０】
１…吹込み用断熱材
２…送込み装置
４…空気の逃げ場のない空間部
６…ブロワー
８…ノズル
９…吐出口
１０…パンチング孔（空気抜き部）
１２…送込み口
１３…メッシュ材（空気抜き部）
【図１】
2006097390.tif 000003
【図２】
2006097390.tif 000004
【図３】
2006097390.tif 000005
【図４】
2006097390.tif 000006